(57)【要約】      （修正有）【課題】各種電力の電力量を把握する技術を提供する。【解決手段】電力需要家システムに含まれても分かれて構成されてもよい処理装置は、蓄電システム１０１が所定時間内に充放電した電力量であって、第２のスマートメータ１０６で測定された値である充電電力量及び放電電力量各々を、所定時間内における統合指令値の中の充電側の統合指令値を時間積分して得られた充電指令量及び所定時間内における統合指令値の中の放電側の統合指令値を時間積分して得られた放電指令量各々で割り充電時補正係数及び放電時補正係数を算出する。また、充電時補正係数と、放電時補正係数と、複数種類の指令値とに基づき、蓄電システムが複数の指令値各々に応じて充放電した電力量を算出する。さらに、算出した値と、所定時間内に自家発電装置１０４から出力された電力量とに基づき、所定時間内に自家発電装置から出力された内の売電される電力量を算出する。【選択図】図１
2019050667.tif 000002
【特許請求の範囲】
【請求項１】
複数種類の指令値［Ｗ］を足し合わせた統合指令値［Ｗ］に応じて充放電を行う蓄電システムが所定時間内に充放電した電力量［Ｗｈ］であって、スマートメータで測定された値である充電電力量［Ｗｈ］及び放電電力量［Ｗｈ］を取得するスマートメータ測定値取得手段と、
前記所定時間内における前記統合指令値［Ｗ］の中の充電側の前記統合指令値［Ｗ］を時間積分して得られた充電指令量［Ｗｈ］、及び、前記所定時間内における前記統合指令値［Ｗ］の中の放電側の前記統合指令値［Ｗ］を時間積分して得られた放電指令量［Ｗｈ］を取得する充放電指令量取得手段と、
前記充電電力量［Ｗｈ］を前記充電指令量［Ｗｈ］で割ることで充電時補正係数を算出するとともに、前記放電電力量［Ｗｈ］を前記放電指令量［Ｗｈ］で割ることで放電時補正係数を算出する補正係数算出手段と、
前記充電時補正係数と、前記放電時補正係数と、前記複数種類の指令値［Ｗ］とに基づき、前記所定時間内に前記蓄電システムが前記複数種類の指令値［Ｗ］各々に応じて充電又は放電した電力量［Ｗｈ］を算出する各種充放電量算出手段と、
スマートメータで測定された値に基づき、前記所定時間内に自家発電装置から出力された電力量［Ｗｈ］を取得する発電量取得手段と、
前記所定時間内に前記自家発電装置から出力された電力量［Ｗｈ］と、前記所定時間内に前記蓄電システムが前記複数種類の指令値［Ｗ］各々に応じて充電又は放電した電力量［Ｗｈ］とに基づき、前記所定時間内に前記自家発電装置から出力された電力量［Ｗｈ］の内の売電される電力量［Ｗｈ］を算出する売電量算出手段と、
を有する処理装置。
【請求項２】
請求項１に記載の処理装置において、
前記売電量算出手段は、「前記所定時間内に前記自家発電装置から出力された電力量［Ｗｈ］」から「前記所定時間内に電力需要家都合で消費された電力量［Ｗｈ］」を引いた電力量［Ｗｈ］を、前記所定時間内における前記売電される電力量［Ｗｈ］として算出する処理装置。
【請求項３】
請求項２に記載の処理装置において、
前記売電量算出手段は、「前記所定時間内に電力需要家都合で消費された電力量［Ｗｈ］」として、「前記所定時間内における電力需要家の負荷群の電力消費量［Ｗｈ］の内の前記蓄電システムからの放電でまかなわれなかった電力量［Ｗｈ］」及び「電力需要家都合で前記蓄電システムに充電された電力量［Ｗｈ］」の合計を算出する処理装置。
【請求項４】
請求項１から３のいずれか１項に記載の処理装置において、
前記指令値［Ｗ］は、充電指令値［Ｗ］及び放電指令値［Ｗ］を含み、
前記各種充放電量算出手段は、
第１の種類の前記指令値［Ｗ］に含まれる前記充電指令値［Ｗ］の中の前記統合指令値［Ｗ］が充電側になる前記充電指令値［Ｗ］を時間積分して得られた値［Ｗｈ］と前記充電時補正係数との積と、前記第１の種類の前記指令値［Ｗ］に含まれる前記充電指令値［Ｗ］の中の前記統合指令値［Ｗ］が放電側になる前記充電指令値［Ｗ］を時間積分して得られた値［Ｗｈ］と前記放電時補正係数との積との和を、前記第１の種類の前記指令値［Ｗ］に応じて前記蓄電システムが前記所定時間内に充電した電力量［Ｗｈ］として算出する処理装置。
【請求項５】
請求項１から４のいずれか１項に記載の処理装置において、
前記指令値［Ｗ］は、充電指令値［Ｗ］及び放電指令値［Ｗ］を含み、
前記各種充放電量算出手段は、
第１の種類の前記指令値［Ｗ］に含まれる前記放電指令値［Ｗ］の中の前記統合指令値［Ｗ］が充電側になる前記放電指令値［Ｗ］を時間積分して得られた値［Ｗｈ］と前記充電時補正係数との積と、前記第１の種類の前記指令値［Ｗ］に含まれる前記放電指令値［Ｗ］の中の前記統合指令値［Ｗ］が放電側になる前記放電指令値［Ｗ］を時間積分して得られた値［Ｗｈ］と前記放電時補正係数との積との和を、前記第１の種類の前記指令値［Ｗ］に応じて前記蓄電システムが前記所定時間内に放電した電力量［Ｗｈ］として算出する処理装置。
【請求項６】
コンピュータが、
複数種類の指令値［Ｗ］を足し合わせた統合指令値［Ｗ］に応じて充放電を行う蓄電システムが所定時間内に充放電した電力量［Ｗｈ］であって、スマートメータで測定された値である充電電力量［Ｗｈ］及び放電電力量［Ｗｈ］を取得するスマートメータ測定値取得工程と、
前記所定時間内における前記統合指令値［Ｗ］の中の充電側の前記統合指令値［Ｗ］を時間積分して得られた充電指令量［Ｗｈ］、及び、前記所定時間内における前記統合指令値［Ｗ］の中の放電側の前記統合指令値［Ｗ］を時間積分して得られた放電指令量［Ｗｈ］を取得する充放電指令量取得工程と、
前記充電電力量［Ｗｈ］を前記充電指令量［Ｗｈ］で割ることで充電時補正係数を算出するとともに、前記放電電力量［Ｗｈ］を前記放電指令量［Ｗｈ］で割ることで放電時補正係数を算出する補正係数算出工程と、
前記充電時補正係数と、前記放電時補正係数と、前記複数種類の指令値［Ｗ］とに基づき、前記所定時間内に前記蓄電システムが前記複数種類の指令値［Ｗ］各々に応じて充電又は放電した電力量［Ｗｈ］を算出する各種充放電量算出工程と、
スマートメータで測定された値に基づき、前記所定時間内に自家発電装置から出力された電力量［Ｗｈ］を取得する発電量取得工程と、
前記所定時間内に前記自家発電装置から出力された電力量［Ｗｈ］と、前記所定時間内に前記蓄電システムが前記複数種類の指令値［Ｗ］各々に応じて充電又は放電した電力量［Ｗｈ］とに基づき、前記所定時間内に前記自家発電装置から出力された電力量［Ｗｈ］の内の売電される電力量［Ｗｈ］を算出する売電量算出工程と、
を実行する処理方法。
【請求項７】
コンピュータを、
複数種類の指令値［Ｗ］を足し合わせた統合指令値［Ｗ］に応じて充放電を行う蓄電システムが所定時間内に充放電した電力量［Ｗｈ］であって、スマートメータで測定された値である充電電力量［Ｗｈ］及び放電電力量［Ｗｈ］を取得するスマートメータ測定値取得手段、
前記所定時間内における前記統合指令値［Ｗ］の中の充電側の前記統合指令値［Ｗ］を時間積分して得られた充電指令量［Ｗｈ］、及び、前記所定時間内における前記統合指令値［Ｗ］の中の放電側の前記統合指令値［Ｗ］を時間積分して得られた放電指令量［Ｗｈ］を取得する充放電指令量取得手段、
前記充電電力量［Ｗｈ］を前記充電指令量［Ｗｈ］で割ることで充電時補正係数を算出するとともに、前記放電電力量［Ｗｈ］を前記放電指令量［Ｗｈ］で割ることで放電時補正係数を算出する補正係数算出手段、
前記充電時補正係数と、前記放電時補正係数と、前記複数種類の指令値［Ｗ］とに基づき、前記所定時間内に前記蓄電システムが前記複数種類の指令値［Ｗ］各々に応じて充電又は放電した電力量［Ｗｈ］を算出する各種充放電量算出手段、
スマートメータで測定された値に基づき、前記所定時間内に自家発電装置から出力された電力量［Ｗｈ］を取得する発電量取得手段、
前記所定時間内に前記自家発電装置から出力された電力量［Ｗｈ］と、前記所定時間内に前記蓄電システムが前記複数種類の指令値［Ｗ］各々に応じて充電又は放電した電力量［Ｗｈ］とに基づき、前記所定時間内に前記自家発電装置から出力された電力量［Ｗｈ］の内の売電される電力量［Ｗｈ］を算出する売電量算出手段、
として機能させるプログラム。
【発明の詳細な説明】
【技術分野】
【０００１】
本発明は、処理装置、処理方法及びプログラムに関する。
【背景技術】
【０００２】
電力需要家が保有する蓄電池の動作を制御する様々なサービスが検討されている。例えば、電気料金（電力単価）が相対的に安い時間帯に充電し、相対的に高い時間帯に放電するよう蓄電池の充放電を制御する、季・時別電気料金へ対応した充放電の制御サービス（以下、「エネルギーマネジメントサービス」）がある。当該サービスによれば、電力需要家は、電力会社に支払う電気料金を抑えることができる。
【０００３】
その他、電力系統の需給バランス調整のために、蓄電池の充放電を制御するサービス（以下、「アンシラリーサービス」）がある。すなわち、電力需要家の蓄電池を電力系統の需給バランス調整のための調整力や予備力等として利用する。当該サービスは、送配電事業者に向けたサービスである。なお、当該サービスのために蓄電池を提供した電力需要家に所定のインセンティブを支払うことで、電力需要家に向けたサービスと捉えることもできる。
【０００４】
その他、小売電気事業者からの依頼に基づき、蓄電池の充放電を制御するサービス（以下、「インバランス回避サービス」）がある。小売電気事業者は、自システムの調整による３０分同時同量の達成が困難な場合、当該サービスを提供する事業者に、小売電気事業者が電力供給契約している電力需要家の蓄電池に対して（小売電気事業者が電力供給契約をしていない別の電力需要家の蓄電池に対して、でも可能であるが対価計算やインセンティブ等の支払いプロセスが少し複雑になる）、所定のタイミングで所定量の充電又は放電を依頼する。当該サービスを提供する事業者は、上記依頼に基づき電力需要家の蓄電池を制御し、所定のタイミングで所定量の充電又は放電を行わせる。当該サービスは、小売電気事業者に向けたサービスである。なお、当該サービスのために蓄電池を提供した電力需要家に所定のインセンティブを支払うことで、電力需要家に向けたサービスと捉えることもできる。
【０００５】
その他、自然エネルギー（例：太陽光）を利用した発電装置等を保有する発電事業者からの依頼に基づき、蓄電池の充放電を制御するサービス（以下、「余剰電力吸収サービス」）が考えられる。送配電事業者は、電力系統の需給運用に支障を及ぼす可能性がある場合、発電事業者に出力抑制（電力系統への逆潮流の抑制）を要請できる。出力抑制の要請を受けた発電事業者は、当該サービスを提供する事業者に、出力抑制を受けた時間帯に抑制が必要な分を充電する依頼を行う。そして、発電事業者は、出力抑制を受けた時間帯においても、出力抑制を行うことなく通常通りの出力を行う。当該サービスを提供する事業者は、上記依頼に基づき電力需要家の蓄電池を制御し、出力抑制を受けた時間帯に抑制が必要な分を充電させる。当該サービスは、発電事業者に向けたサービスである。なお、当該サービスのために蓄電池を提供した電力需要家に所定のインセンティブを支払うことで、電力需要家に向けたサービスと捉えることもできる。
【０００６】
これらのサービスの実施に関連する技術が、特許文献１及び２に開示されている。特許文献１には、蓄電池を保有する電力需要家に対して、蓄電池の充放電制御スケジュールを提供するサーバ装置が開示されている。蓄電池を制御する制御装置は、当該充放電制御スケジュールを基に、電気料金レートが最も高い時間帯と最も低い時間帯との料金差が一定以上である場合、その電気料金が高い時間帯の予想消費電力に相当する電力を他方の時間帯に充電し、電気料金が高い時間帯において放電するよう蓄電池を制御する。
【０００７】
特許文献２には、蓄電池の寿命を考慮したアンシラリーサービスを提供するアンシラリーサービス提供装置が開示されている。
【先行技術文献】
【特許文献】
【０００８】
【特許文献１】特開２０１４−２３６６２７号公報
【特許文献２】特開２０１２−６０８３３号公報
【発明の概要】
【発明が解決しようとする課題】
【０００９】
現在、電力需要家施設内にスマートメータを設置し、「電力系統から電力需要家システムに供給された電力量［Ｗｈ］」や「電力需要家システムから電力系統に供給された電力量［Ｗｈ］」等の計量がなされている。そして、上述したような様々なサービスの実施に伴い、上述した電力量［Ｗｈ］のみならず、その他の各種電力（例：各種サービス用電力）の電力量［Ｗｈ］を把握する技術が望まれている。本発明は、各種電力の電力量［Ｗｈ］を把握する技術を提供することを課題とする。
【課題を解決するための手段】
【００１０】
本発明によれば、
複数種類の指令値［Ｗ］を足し合わせた統合指令値［Ｗ］に応じて充放電を行う蓄電システムが所定時間内に充放電した電力量［Ｗｈ］であって、スマートメータで測定された値である充電電力量［Ｗｈ］及び放電電力量［Ｗｈ］を取得するスマートメータ測定値取得手段と、
前記所定時間内における前記統合指令値［Ｗ］の中の充電側の前記統合指令値［Ｗ］を時間積分して得られた充電指令量［Ｗｈ］、及び、前記所定時間内における前記統合指令値［Ｗ］の中の放電側の前記統合指令値［Ｗ］を時間積分して得られた放電指令量［Ｗｈ］を取得する充放電指令量取得手段と、
前記充電電力量［Ｗｈ］を前記充電指令量［Ｗｈ］で割ることで充電時補正係数を算出するとともに、前記放電電力量［Ｗｈ］を前記放電指令量［Ｗｈ］で割ることで放電時補正係数を算出する補正係数算出手段と、
前記充電時補正係数と、前記放電時補正係数と、前記複数種類の指令値［Ｗ］とに基づき、前記所定時間内に前記蓄電システムが前記複数種類の指令値［Ｗ］各々に応じて充電又は放電した電力量［Ｗｈ］を算出する各種充放電量算出手段と、
スマートメータで測定された値に基づき、前記所定時間内に自家発電装置から出力された電力量［Ｗｈ］を取得する発電量取得手段と、
前記所定時間内に前記自家発電装置から出力された電力量［Ｗｈ］と、前記所定時間内に前記蓄電システムが前記複数種類の指令値［Ｗ］各々に応じて充電又は放電した電力量［Ｗｈ］とに基づき、前記所定時間内に前記自家発電装置から出力された電力量［Ｗｈ］の内の売電される電力量［Ｗｈ］を算出する売電量算出手段と、
を有する処理装置が提供される。
【００１１】
また、本発明によれば、
コンピュータが、
複数種類の指令値［Ｗ］を足し合わせた統合指令値［Ｗ］に応じて充放電を行う蓄電システムが所定時間内に充放電した電力量［Ｗｈ］であって、スマートメータで測定された値である充電電力量［Ｗｈ］及び放電電力量［Ｗｈ］を取得するスマートメータ測定値取得工程と、
前記所定時間内における前記統合指令値［Ｗ］の中の充電側の前記統合指令値［Ｗ］を時間積分して得られた充電指令量［Ｗｈ］、及び、前記所定時間内における前記統合指令値［Ｗ］の中の放電側の前記統合指令値［Ｗ］を時間積分して得られた放電指令量［Ｗｈ］を取得する充放電指令量取得工程と、
前記充電電力量［Ｗｈ］を前記充電指令量［Ｗｈ］で割ることで充電時補正係数を算出するとともに、前記放電電力量［Ｗｈ］を前記放電指令量［Ｗｈ］で割ることで放電時補正係数を算出する補正係数算出工程と、
前記充電時補正係数と、前記放電時補正係数と、前記複数種類の指令値［Ｗ］とに基づき、前記所定時間内に前記蓄電システムが前記複数種類の指令値［Ｗ］各々に応じて充電又は放電した電力量［Ｗｈ］を算出する各種充放電量算出工程と、
スマートメータで測定された値に基づき、前記所定時間内に自家発電装置から出力された電力量［Ｗｈ］を取得する発電量取得工程と、
前記所定時間内に前記自家発電装置から出力された電力量［Ｗｈ］と、前記所定時間内に前記蓄電システムが前記複数種類の指令値［Ｗ］各々に応じて充電又は放電した電力量［Ｗｈ］とに基づき、前記所定時間内に前記自家発電装置から出力された電力量［Ｗｈ］の内の売電される電力量［Ｗｈ］を算出する売電量算出工程と、
を実行する処理方法が提供される。
【００１２】
また、本発明によれば、
コンピュータを、
複数種類の指令値［Ｗ］を足し合わせた統合指令値［Ｗ］に応じて充放電を行う蓄電システムが所定時間内に充放電した電力量［Ｗｈ］であって、スマートメータで測定された値である充電電力量［Ｗｈ］及び放電電力量［Ｗｈ］を取得するスマートメータ測定値取得手段、
前記所定時間内における前記統合指令値［Ｗ］の中の充電側の前記統合指令値［Ｗ］を時間積分して得られた充電指令量［Ｗｈ］、及び、前記所定時間内における前記統合指令値［Ｗ］の中の放電側の前記統合指令値［Ｗ］を時間積分して得られた放電指令量［Ｗｈ］を取得する充放電指令量取得手段、
前記充電電力量［Ｗｈ］を前記充電指令量［Ｗｈ］で割ることで充電時補正係数を算出するとともに、前記放電電力量［Ｗｈ］を前記放電指令量［Ｗｈ］で割ることで放電時補正係数を算出する補正係数算出手段、
前記充電時補正係数と、前記放電時補正係数と、前記複数種類の指令値［Ｗ］とに基づき、前記所定時間内に前記蓄電システムが前記複数種類の指令値［Ｗ］各々に応じて充電又は放電した電力量［Ｗｈ］を算出する各種充放電量算出手段、
スマートメータで測定された値に基づき、前記所定時間内に自家発電装置から出力された電力量［Ｗｈ］を取得する発電量取得手段、
前記所定時間内に前記自家発電装置から出力された電力量［Ｗｈ］と、前記所定時間内に前記蓄電システムが前記複数種類の指令値［Ｗ］各々に応じて充電又は放電した電力量［Ｗｈ］とに基づき、前記所定時間内に前記自家発電装置から出力された電力量［Ｗｈ］の内の売電される電力量［Ｗｈ］を算出する売電量算出手段、
として機能させるプログラムが提供される。
【発明の効果】
【００１３】
本発明によれば、各種電力の電力量を把握する技術が実現される。
【図面の簡単な説明】
【００１４】
【図１】本実施形態の電力需要家システム１００の機能ブロック図の一例を示す図である。
【図２】本実施形態の装置のハードウエア構成の一例を概念的に示す図である。
【図３】本実施形態の処理装置１０の機能ブロック図の一例を示す図である。
【図４】本実施形態の処理装置１０の処理の具体例を説明するための図である。
【図５】本実施形態の処理装置１０の処理の具体例を説明するための図である。
【図６】本実施形態の処理装置１０の処理の具体例を説明するための図である。
【図７】本実施形態の処理装置１０の処理の具体例を説明するための図である。
【図８】本実施形態の処理装置１０の処理の具体例を説明するための図である。
【図９】本実施形態の処理装置１０の処理の具体例を説明するための図である。
【図１０】本実施形態の処理装置１０の処理の具体例を説明するための図である。
【図１１】本実施形態の処理装置１０の処理の具体例を説明するための図である。
【図１２】本実施形態の処理装置１０の処理の具体例を説明するための図である。
【図１３】本実施形態の処理装置１０の処理の具体例を説明するための図である。
【図１４】本実施形態の電力需要家システム１００の機能ブロック図の一例を示す図である。
【図１５】本実施形態の処理装置１０の処理の具体例を説明するための図である。
【図１６】本実施形態の処理装置１０の処理の具体例を説明するための図である。
【発明を実施するための形態】
【００１５】
＜第１の実施形態＞
「電力需要家システム１００」
まず、図１を用いて電力需要家システム１００を説明する。電力需要家システム１００は、一般家庭、店舗、会社、ビル、工場などに設けられる。図１に示すように、電力需要家システム１００は、蓄電システム１０１と、負荷群１０２と、制御装置１０３と、自家発電装置１０４と、第１のスマートメータ１０５と、第２のスマートメータ１０６と、第３のスマートメータ１０７と、センサ１０８とを備える。図中、実線で電力線を示し、点線で通信線を示している。
【００１６】
蓄電システム１０１は、蓄電池と、蓄電池の充放電を制御するＰＣＳ（power conditioning system）とを有する。
【００１７】
負荷群１０２は、電力を動力源として動作する。負荷群１０２は、例えば、照明、エアコン、テレビ、冷蔵庫などの家電、パソコンやプリンターなどのオフィス機器、機械などの工場設備等が例示されるが、これらに限定されない。
【００１８】
自家発電装置１０４は、電力を発電する。自家発電装置１０４は、例えば自然エネルギー（例：太陽光、風力）を利用して発電する装置であってもよいし、燃料電池等のコージェネレーションやディーゼル発電機等であってもよい。
【００１９】
第１のスマートメータ１０５は、電力系統から電力需要家システム１００に供給された電力積算量［Ｗｈ］、及び、電力需要家システム１００から電力系統に供給された電力積算量［Ｗｈ］を測定する。そして、予め定められた時間（例：３０分）毎の電力積算量［Ｗｈ］を出力する。図示していないが、第１のスマートメータ１０５は外部装置と通信可能に構成され、外部装置から要求された時刻（タイミング）や予め定められた時間（例：３０分）毎の電力積算量［Ｗｈ］を外部装置に送信してもよい。
【００２０】
第２のスマートメータ１０６は、蓄電システム１０１から放電された電力積算量［Ｗｈ］、及び、蓄電システム１０１に充電された電力積算量［Ｗｈ］を測定する。そして、予め定められた時間（例：３０分）毎の電力積算量［Ｗｈ］を出力する。図示していないが、第２のスマートメータ１０６は処理装置１０（不図示）と通信可能に構成され、処理装置１０から要求された時刻（タイミング）や予め定められた時間（例：３０分）毎の電力積算量［Ｗｈ］を処理装置１０に送信する。
【００２１】
第３のスマートメータ１０７は、自家発電装置１０４から出力された電力積算量［Ｗｈ］を測定する。そして、予め定められた時間（例：３０分）毎の電力積算量［Ｗｈ］を出力する。図示していないが、第３のスマートメータ１０７は処理装置１０（不図示）と通信可能に構成され、処理装置１０から要求された時刻（タイミング）や予め定められた時間（例：３０分）毎の電力積算量［Ｗｈ］を処理装置１０に送信する。
【００２２】
センサ１０８は、負荷群１０２に供給された電力［Ｗ］の瞬時値を測定する。センサ１０８は、測定した電力［Ｗ］の瞬時値を制御装置１０３に送信する。センサ１０８は、電流センサ（CT：Current Transformer）であり、センサ１０８は、測定した電流［Ａ］の瞬時値を制御装置１０３に送信し、制御装置１０３が別途測定した電圧［Ｖ］を用いて電力［Ｗ］の瞬時値を算出しても良い。
【００２３】
制御装置１０３は、複数種類の指令値［Ｗ］を足し合わせた統合指令値［Ｗ］を算出し、算出した統合指令値［Ｗ］を蓄電システム１０１に送信する。蓄電システム１０１のＰＣＳは、取得した統合指令値［Ｗ］で充放電するように蓄電池を制御する。
【００２４】
ここで、複数種類の指令値［Ｗ］を算出する処理及び統合指令値［Ｗ］を算出する処理の一例を説明する。なお、指令値［Ｗ］は、蓄電システム１０１に充電させる指令値［Ｗ］である充電指令値［Ｗ］と、蓄電システム１０１に放電させる指令値［Ｗ］である放電指令値［Ｗ］とを含み得る。
【００２５】
＜ＬＦＣ制御（アンシラリーサービス）の指令値［Ｗ］＞
アンシラリーサービスは、主として送配電事業者に向けたサービスである。アンシラリーサービスでは、電力系統の需給バランス調整のために、蓄電池の充放電を制御する。すなわち、需要過多の場合には放電し、電力系統に電力を供給する動作を蓄電池に実行させる。一方、供給過多の場合には充電する動作を蓄電池に実行させることで、電力系統内の電力を消費させる。
【００２６】
電力需要家システム１００の制御装置１０３は、複数の電力需要家システム１００の蓄電池を統合制御する中央制御装置（例：サーバ２００）から受信した情報に基づき、ＬＦＣ制御のための指令値［Ｗ］を算出する。サーバ２００と電力需要家システム１００は、インターネット等の通信ネットワーク３００を介して通信する。
【００２７】
まず、中央制御装置は、制御対象の複数の蓄電池各々に対応して、ＬＦＣ制御のための電力入出力の上限ａｍａｘ＿ｎを、所定周期（例：１５分）で繰り返し決定する。そして、中央制御装置は、決定した上限ａｍａｘ＿ｎを、所定周期（例：１５分）で繰り返し各制御装置１０３に送信する。
【００２８】
また、中央制御装置は、複数の蓄電池各々の上限ａｍａｘ＿ｎを足し合わせたＡｍａｘを所定周期（例：１５分）で繰り返し算出し、送配電事業者のシステムに所定周期（例：１５分）で繰り返し送信する。
【００２９】
また、中央制御装置は、送配電事業者のシステムからＬＦＣ信号を所定周期（例：数秒）で繰り返しまたは不定周期で受信する。ＬＦＣ信号には、複数の蓄電池で充電又は放電する電力のトータル指令値［Ｗ］が含まれる。送配電事業者のシステムは、中央制御装置から受信したＡｍａｘ以下の範囲でトータル指令値［Ｗ］を決定し、中央制御装置に送信する。なお、ＬＦＣ信号は、動作内容（充電及び放電）を識別可能になっている。例えば、充電の時は正の値、放電の時は負の値で示されてもよい。所定周期は、１５分に限らず、５分等色々可能である。
【００３０】
ＬＦＣ信号の受信に応じて、中央制御装置は、ＬＦＣ信号で特定されるトータル指令値［Ｗ］をＡｍａｘで割った値Ｂを算出する。そして、中央制御装置は、算出した値Ｂを、複数の制御装置１０３に一斉送信する。値Ｂの送信は、所定周期（例：数秒）で繰り返しまたは不定周期で行われる。一斉送信の実現手段としては、例えばマルチキャスト、ＦＭ通信等を用いたブロードキャスト、その他の手法を用いることもできる。一斉送信できない場合は、個別送信でも良い。
【００３１】
各制御装置１０３は、所定周期（例：１５分）で繰り返し受信するａｍａｘ＿ｎと、所定周期（例：数秒）で繰り返しまたは不定周期で受信する値Ｂとに基づき、ＬＦＣ制御のための指令値［Ｗ］を算出する。具体的には、制御装置１０３は、ａｍａｘ＿ｎとＢとの積を、ＬＦＣ制御のための指令値［Ｗ］として算出する。新たなａｍａｘ＿ｎまたはＢを取得するまで、最新のａｍａｘ＿ｎ及びＢに基づき算出した指令値［Ｗ］で蓄電池に充放電させる。
【００３２】
当該例の変形例として、送配電事業者のシステムは、複数の蓄電池で充電又は放電する電力のトータル指令値［Ｗ］を含むＬＦＣ信号に代えて、トータル指令値［Ｗ］をＡｍａｘで割った値Ｂを含むＬＦＣ信号を中央制御装置に送信してもよい。そして、中央制御装置は、値Ｂを算出する処理を実行せず、受信した値Ｂを複数の制御装置１０３に一斉送信してもよい。
【００３３】
他の変形例として、中央制御装置は、複数の制御装置１０３に、各蓄電池に対応して決定したａｍａｘ＿ｎに加えて、Ａｍａｘを所定周期（例：１５分）で繰り返し送信してもよい。そして、送配電事業者のシステムから、複数の蓄電池で充電又は放電する電力のトータル指令値［Ｗ］を含むＬＦＣ信号を受信すると、中央制御装置は、トータル指令値［Ｗ］をＡｍａｘで割った値Ｂに代えて、当該トータル指令値［Ｗ］を複数の制御装置１０３に一斉送信してもよい。そして、各制御装置１０３が、トータル指令値［Ｗ］をＡｍａｘで割った値Ｂにａｍａｘ＿ｎを掛けて、ＬＦＣ制御のための指令値［Ｗ］を算出してもよい。
【００３４】
他の変形例として、中央制御装置は、各蓄電池に対応して決定したａｍａｘ＿ｎを、Ａｍａｘで割った値ｄｎを算出してもよい。そして、中央制御装置は、ａｍａｘ＿ｎに代えて、ｄｎを、複数の制御装置１０３に所定周期（例：１５分）で繰り返し送信してもよい。そして、送配電事業者のシステムから、複数の蓄電池で充電又は放電する電力のトータル指令値［Ｗ］を含むＬＦＣ信号を受信すると、中央制御装置は、当該トータル指令値［Ｗ］を複数の制御装置１０３に一斉送信してもよい。そして、各制御装置１０３が、トータル指令値［Ｗ］にｄｎを掛けて、ＬＦＣ制御のための指令値［Ｗ］を算出してもよい。
【００３５】
＜ＧＦ相当制御（アンシラリーサービス）の指令値［Ｗ］＞
まず、中央制御装置（例：サーバ２００）は、制御対象の複数の蓄電池各々に対応して、ＧＦ相当制御のための電力入出力［Ｗ］の上限ｃｍａｘ＿ｎを、所定周期（例：１５分）で繰り返し決定する。その後、中央制御装置は、蓄電池ごとに、ＧＦ相当制御の内容を決定する。具体的には、中央制御装置は、各蓄電池で充電又は放電する電力［Ｗ］の指令値［Ｗ］を、系統周波数の基準値からの乖離の程度に応じて定めたＧＦ相当制御情報（例：関数、対応テーブル等、系統周波数の基準値を含む）を生成する。ＧＦ相当制御情報においては、電力入出力［Ｗ］の最大値が、上限ｃｍａｘ＿ｎ以下となるように定められる。中央制御装置は、複数の制御装置１０３各々に、各々に対応したＧＦ相当制御情報を送信する。
【００３６】
各制御装置１０３は、内部センサや自装置の近くに設置された測定サンサーを用いて、系統周波数を所定周期（例：十数ミリ秒）で繰り返し測定する。そして、制御装置１０３は、当該測定値と、予め与えられていた基準値とに基づき、系統周波数の基準値からの乖離を繰り返し算出する。また、制御装置１０３は、算出した乖離と、ＧＦ相当制御情報とに基づき、ＧＦ相当制御のための指令値［Ｗ］を算出する。新たな系統周波数の測定値またはＧＦ相当制御情報を取得するまで、最新の系統周波数の測定値及びＧＦ相当制御情報に基づき算出した指令値［Ｗ］で蓄電池に充放電させる。
【００３７】
＜エネルギーマネジメントサービスの指令値［Ｗ］＞
エネルギーマネジメントサービスは、電力需要家に向けたサービスである。当該サービスでは、電力単価が相対的に安い時間帯（例：夜間、２３：００〜０７：００など）に電力を充電し、電力単価が相対的に高い時間帯（例：昼間、０７：００〜２３：００など）に電力を放電（負荷群の電力需要に追随するように放電）する充放電動作を蓄電池に実行させる。
【００３８】
制御装置１０３は、電力単価が相対的に安い時間帯に電力を充電し、電力単価が相対的に高い時間帯に電力を放電する充放電スケジュールを生成する。例えば、制御装置１０３は、電力単価が所定値より高い時間帯を放電させる時間帯とし、電力単価が当該所定値以下の時間帯を充電させる時間帯としてもよい。所定値は、例えば、時間帯ごとに設定された電力単価（例：Ｐ１時からＰ２時「Ｑ１円／ｋＷｈ」、Ｐ２時からＰ３時「Ｑ２円／ｋＷｈ」、・・・）の統計値（例：平均値、中央値等）であってもよいし、予め電力会社のサービス内容を考慮し、制御装置１０３に与えられた計画値（例：７月~９月は、特にＰ４時からＰ５時「Ｑ３円／ｋＷｈ」など）であってもよい。
【００３９】
そして、制御装置１０３は、所定の上限（蓄電池毎に予め定められたエネルギーマネジメントサービスのための電力入出力の上限）以下を満たす範囲で、充電させる時間帯に充電させ、かつ、放電させる時間帯に放電させる充放電スケジュールを生成する。なお、これら充放電では、１日をサイクルとして、エネルギーマネジメントサービスで充電可能な電力量の上限（例：ＳＯＣ９５％まで充電可能）を超えない範囲で、積算充電量［Ｗｈ］ができるだけ大きくなるのが好ましい。また、エネルギーマネジメントサービスで放電可能な電力量の上限（例：ＳＯＣ５％まで放電可能）を超えない範囲で、積算放電量［Ｗｈ］ができるだけ大きくなるのが好ましい。即ち、電力単価が安い時間帯にできるだけ満充電まで充電し、電力単価が高い時間帯にできるだけ電池が枯渇するまで放電させることが、季・時別電力料金差を用いた蓄電池運用における便益を高めるのに有効である。但し、放電時間帯において、無理に負荷群の電力需要を増やす必要はない。
【００４０】
なお、エネルギーマネジメントサービスを提供する事業者のシステム（例：サーバ２００）が、上述のような手法で充放電スケジュールを生成してもよい。そして、制御装置１０３は、当該システムから充放電スケジュールを受信してもよい。この充放電スケジュールは、所定周期（例えば１５分）毎に生成し、ＬＦＣ制御に必要な情報（例：ａｍａｘ＿ｎなど）を、所定周期（例えば５分毎）毎に生成し、ＧＦ相当制御情報を、所定周期（例えば５分）毎に生成してもよい。
【００４１】
制御装置１０３は、充放電スケジュールに基づき、各タイミングにおけるエネルギーマネジメントサービスのための指令値［Ｗ］を決定する。充電させる時間帯においては、例えば、充放電スケジュールで定められた各タイミングの充電電力［Ｗ］を、各タイミングにおけるエネルギーマネジメントサービスのための指令値［Ｗ］として決定する。一方、放電させる時間帯においては、例えば、充放電スケジュールで定められた各タイミングの放電電力の上限値［Ｗ］以下の範囲で、センサ１０８で測定された電力［Ｗ］の瞬時値に追従して放電させる指令値［Ｗ］を決定する（負荷追従放電）。センサ１０８の電力の測定は、例えば系統周波数の１サイクル毎（系統周波数が５０Ｈｚの場合、２０ｍｓｅｃ毎）に実施してもよい。センサ１０８から新たな測定値［Ｗ］を取得するまで、最新の測定値［Ｗ］に基づき決定された指令値［Ｗ］で蓄電池に充放電させる。
【００４２】
＜インバランス回避サービスの指令値［Ｗ］＞
インバランス回避サービスは、小売電気事業者に向けたサービスである。小売電気事業者は、自システムの調整による３０分の計画値同時同量の達成が困難な場合、当該サービスを提供する事業者に、小売電気事業者が電力供給契約している電力需要家の有する蓄電池に対して、所定のタイミングで所定量の充電又は放電を依頼する。当該依頼に基づき、各電力需要家の蓄電池の充放電が制御される。
【００４３】
中央制御装置（例：サーバ２００）は、複数の制御装置１０３から所定周期で繰り返し受信する各蓄電池の状態（例：ＳＯＣ）を示す情報や、各電力需要家のベースライン情報や、将来の電力需要予測等に基づき、インバランス回避サービスで充電させることができる電力量［Ｗｈ］や放電させることができる放電量［Ｗｈ］等の最新の値、また、将来の推定値を蓄電池ごとに把握する。そして、中央制御装置は、それらを足し合わせることで、複数の蓄電池全体で充電させることができる電力量［Ｗｈ］や放電させることができる放電量［Ｗｈ］等の最新の値、また、将来の推定値を算出する。
【００４４】
中央制御装置は、算出した上記結果を、インバランス回避サービスを実施した際の対価の情報とともに、あらかじめ小売電気事業者のシステムに送信する。小売電気事業者のシステムは、対価を考慮し、当該結果で示される上限を超えない範囲で、インバランス回避のための依頼（所定のタイミングでの所定量の放電又は充電）を行う。
【００４５】
中央制御装置は、上記依頼に基づき、充電又は放電を行う電力量［Ｗｈ］、及び、時間帯を特定する。そして、中央制御装置は、依頼の内容、及び、把握している各蓄電池で充電及び／又は放電できる量［Ｗｈ］等に基づき、充電又は放電を行わせる蓄電池を選択するとともに、各蓄電池に充電又は放電させる電力量［Ｗｈ］を決定する。そして、中央制御装置は、決定された電力量［Ｗｈ］を、上記時間帯の中で充電又は放電させる充放電スケジュールを生成し、各充放電スケジュールを各制御装置１０３に送信する。なお、各蓄電池の充放電スケジュールは、電力入出力［Ｗ］が所定の上限（蓄電池毎に予め定められたインバランス回避サービスのための電力入出力の上限）以下を満たすように生成される。
【００４６】
各制御装置１０３は、インバランス回避サービスのための充放電スケジュールを受信する。そして、各制御装置１０３は、当該充放電スケジュールに基づき、各タイミングにおけるインバランス回避サービスのための指令値［Ｗ］を決定する。
【００４７】
＜余剰電力吸収サービスの指令値＞
余剰電力吸収サービスは、自然エネルギー（例：太陽光）を利用した発電装置等を保有する発電事業者に向けたサービスである。発電事業者は、送配電事業者から出力抑制の要請（電力系統への逆潮流の抑制）を受けると、当該サービスを提供する事業者に、当該出力抑制を回避するための充電を依頼する。当該依頼に基づき、各電力需要家の蓄電池の充放電が制御される。
【００４８】
中央制御装置（例：サーバ２００）は、発電事業者に送られた出力抑制の要請を受信する。出力抑制の要請では、抑制する時間帯（例：翌日１日、翌日の１３時から１６時等）が定められる。抑制内容は、例えば、出力［Ｗ］を「０」とする場合や、出力［Ｗ］の上限（定格出力の○○％）を単位時間帯（例：３０分）毎に定められる場合などが考えらえる。
【００４９】
また、中央制御装置は、各発電事業者の発電予測（例：翌日分の単位時間帯毎の発電予測）を取得する。例えば、中央制御装置は、各発電事業者のシステムから受信してもよいし、自装置で生成してもよい。
【００５０】
そして、中央制御装置は、出力抑制の要請の内容と、発電予測とに基づき、各タイミングで抑制される電力［Ｗ］、すなわち各タイミングで充電すべき電力［Ｗ］を算出する。許される出力［Ｗ］の上限を超えた分が、抑制される電力［Ｗ］となる。その後、中央制御装置は、各タイミングで充電すべき電力［Ｗ］を複数の蓄電池に割り振ることで、複数の蓄電池各々の充電スケジュールを生成する。そして、中央制御装置は、各充電スケジュールを各制御装置１０３に送信する。なお、各蓄電池の充電スケジュールは、電力入出力［Ｗ］が所定の上限（蓄電池毎に予め定められた余剰電力吸収サービスのための電力入出力の上限）以下を満たすように生成される。
【００５１】
各制御装置１０３は、余剰電力吸収サービスのための充電スケジュールを受信する。そして、各制御装置１０３は、当該充電スケジュールに基づき、各タイミングにおける余剰電力吸収サービスのための指令値［Ｗ］を決定する。
【００５２】
＜統合指令値［Ｗ］＞
制御装置１０３は、上述した複数種類の指令値［Ｗ］（ＬＦＣ制御の指令値［Ｗ］、ＧＦ相当制御の指令値［Ｗ］、エネルギーマネジメントサービスの指令値［Ｗ］、インバランス回避サービスの指令値［Ｗ］、余剰電力吸収サービスの指令値［Ｗ］等）の中の２つ以上を決定する。
【００５３】
そして、制御装置１０３は、決定した複数種類の指令値［Ｗ］に基づき、統合指令値［Ｗ］を算出する。具体的には、制御装置１０３は、同じタイミングで充電又は放電させる複数種類の指令値［Ｗ］を足し合わせることで、統合指令値［Ｗ］を算出する。例えば、放電させる指令値［Ｗ］及び充電させる指令値［Ｗ］の一方は正の値で示され、他方は負の値で示された状態で、複数種類の指令値［Ｗ］が足し合わされる。
【００５４】
「処理装置１０」
【００５５】
次に、処理装置１０について説明する。処理装置１０は電力需要家システム１００に含まれてもよいし、電力需要家システム１００と物理的及び／又は論理的に分かれて構成されてもよい。例えば、電力需要家システム１００の制御装置１０３が処理装置１０の機能を備えてもよい。
【００５６】
処理装置１０は、所定時間内に自家発電装置１０４から出力された電力量［Ｗｈ］の内の売電される電力量［Ｗｈ］、すなわち、電力需要家から電力系統の管理者に売電され電力量［Ｗｈ］を算出する。なお、電力系統から電力需要家システム１００に供給された電力量［Ｗｈ］や、電力需要家システム１００から電力系統に供給された電力量［Ｗｈ］は、スマートメータ（第１のスマートメータ１０５）で測定される。このため、上記売電される電力量［Ｗｈ］の算出結果は、スマートメータで測定した場合と同等の結果となるのが好ましい。本実施形態の処理装置１０によれば、これを実現することができる。以下、説明する。
【００５７】
まず、本実施形態の処理装置１０のハードウエア構成の一例について説明する。なお、制御装置１０３のハードウエア構成の一例も、以下で説明する処理装置１０のハードウエア構成の一例と同様とすることができる。
【００５８】
本実施形態の処理装置１０が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００５９】
図２は、本実施形態の処理装置１０のハードウエア構成を例示するブロック図である。図２に示すように、処理装置１０は、プロセッサ１Ａ、メモリ２Ａ、入出力インターフェイス３Ａ、周辺回路４Ａ、バス５Ａを有する。周辺回路４Ａには、様々なモジュールが含まれる。なお、周辺回路４Ａを有さなくてもよい。
【００６０】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク等）、外部装置、外部サーバ、外部センサ等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００６１】
次に、処理装置１０の機能構成を説明する。図３に、処理装置１０の機能ブロック図の一例を示す。図示するように、処理装置１０は、スマートメータ測定値取得部１１と、充放電指令量取得部１２と、補正係数算出部１３と、各種充放電量算出部１４と、発電量取得部１５と、売電量算出部１６とを有する。なお、機能ブロック図は、ハードウエア単位の構成ではなく、機能単位のブロックを示している。
【００６２】
スマートメータ測定値取得部１１は、スマートメータで測定された測定値を取得する。スマートメータは、スマートメータ測定値取得部１１からの要求に応じて、所定時間Ｔ毎（例：３０分毎、但し必ずしも要求したタイミングで取得できないため不定期も含む）の積算値を出力する。そして、スマートメータ測定値取得部１１は、所定時間Ｔ毎の積算値を取得する。所定時間Ｔは、できるだけ小さくするのが好ましい。なお、スマートメータは、継続的に電力量の積算値［Ｗｈ］を計測し、要求があった場合に、その要求時刻での積算電力量の値を返信する。よって、例えば、スマートメータ測定値取得部１１が、Ｍ分間の積算電力量［Ｗｈ］を取得する場合、Ｍ分の開始時刻をＴ０、Ｍ分の終了時刻をＴ１とすると、時刻Ｔ１でのスマートメータの積算電力量（スマートメータ測定値取得部１１が時刻Ｔ１にスマートメータに要求して取得した値）から時刻Ｔ０でのスマートメータの積算電力量（スマートメータ測定値取得部１１が時刻Ｔ０にスマートメータに要求して取得した値）を引くことで求める。
【００６３】
スマートメータ測定値取得部１１は、図１の第２のスマートメータ１０６及び第３のスマートメータ１０７から測定値を取得する。なお、スマートメータ測定値取得部１１は、さらに第１のスマートメータ１０５から測定値を取得してもよい。
【００６４】
第１のスマートメータ１０５の測定値は、所定時間Ｔ内に電力系統から電力需要家システム１００に供給された電力量［Ｗｈ］、及び、所定時間Ｔ内に電力需要家システム１００から電力系統に供給された電力量［Ｗｈ］である。
【００６５】
第２のスマートメータ１０６の測定値は、蓄電システム１０１が所定時間Ｔ内に充電した充電電力量［Ｗｈ］、及び、蓄電システム１０１が所定時間Ｔ内に放電した放電電力量［Ｗｈ］である。
【００６６】
第３のスマートメータ１０７の測定値は、自家発電装置１０４が所定時間Ｔ内に出力した発電電力量［Ｗｈ］である。
【００６７】
充放電指令値取得部１２は、所定時間Ｔ内における統合指令値［Ｗ］の中の充電側の統合指令値［Ｗ］を時間積分して得られた充電指令量［Ｗｈ］、及び、所定時間Ｔ内における統合指令値［Ｗ］の中の放電側の統合指令値［Ｗ］を時間積分して得られた放電指令量［Ｗｈ］を取得する。充放電指令値取得部１２は、所定時間Ｔ毎に、充電指令量［Ｗｈ］及び放電指令量［Ｗｈ］を取得する。
【００６８】
充電側の統合指令値［Ｗ］は、蓄電システム１０１に充電させる統合指令値［Ｗ］を意味する。放電側の統合指令値［Ｗ］は、蓄電システム１０１に放電させる統合指令値［Ｗ］を意味する。例えば、第１の種類の指令値が５０Ｗの充電指令値であり、第２の種類の指令値が３０Ｗの放電指令値である場合、統合指令値は２０Ｗ充電させる指令値となる（充電側の指令値）。また、第１の種類の指令値が１０Ｗの放電指令値であり、第２の種類の指令値が３０Ｗの放電指令値である場合、統合指令値は４０Ｗ放電させる指令値となる（放電側の指令値）。
【００６９】
なお、充放電指令値取得部１２が、充電指令量［Ｗｈ］及び放電指令量［Ｗｈ］を算出してもよい。その他、他の装置（例：制御装置１０３）が充電指令量［Ｗｈ］及び放電指令量［Ｗｈ］を算出し、充放電指令値取得部１２は当該他の装置により算出された充電指令量［Ｗｈ］及び放電指令量［Ｗｈ］を取得してもよい。
【００７０】
補正係数算出部１３は、充電電力量［Ｗｈ］を充電指令量［Ｗｈ］で割ることで充電時補正係数を算出する。充電電力量［Ｗｈ］は、蓄電システム１０１が所定時間Ｔ内に充電した電力量［Ｗｈ］であって、第２のスマートメータ１０６に測定された値である。また、補正係数算出部１３は、放電電力量［Ｗｈ］を放電指令量［Ｗｈ］で割ることで放電時補正係数を算出する。放電電力量［Ｗｈ］は、蓄電システム１０１が所定時間Ｔ内に放電した電力量［Ｗｈ］であって、第２のスマートメータ１０６に測定された値である。補正係数算出部１３は、所定時間Ｔ毎に、充電時補正係数及び放電時補正係数を算出する。
【００７１】
各種充放電量算出部１４は、充電時補正係数と、放電時補正係数と、複数種類の指令値［Ｗ］とに基づき、蓄電システム１０１が複数種類の指令値各々に応じて充電又は放電した電力量［Ｗｈ］を算出する。
【００７２】
第１の種類の指令値に応じて蓄電システム１０１が所定時間Ｔ内に充電した電力量［Ｗｈ］の算出処理は、例えば以下のようになる。
【００７３】
各種充放電量算出部１４は、所定時間Ｔ内の第１の種類の指令値［Ｗ］に含まれる充電指令値［Ｗ］の中の統合指令値［Ｗ］が充電側になる充電指令値［Ｗ］を時間積分して得られた値［Ｗｈ］と充電時補正係数との積（第１の値）を算出する。また、各種充放電量算出部１４は所定時間Ｔ内の第１の種類の指令値［Ｗ］に含まれる充電指令値［Ｗ］の中の統合指令値［Ｗ］が放電側になる充電指令値［Ｗ］を時間積分して得られた値［Ｗｈ］と放電時補正係数との積（第２の値）を算出する。そして、各種充放電量算出部１４は、第１の値と第２の値との和を、第１の種類の指令値［Ｗ］に応じて蓄電システム１０１が所定時間Ｔ内に充電した電力量［Ｗｈ］として算出する。
【００７４】
統合指令値［Ｗ］が充電側になる充電指令値［Ｗ］は、当該充電指令値［Ｗ］と他の種類の指令値［Ｗ］とを足し合わせて得られた統合指令値［Ｗ］が充電側となる充電指令値［Ｗ］を意味する。統合指令値［Ｗ］が放電側になる充電指令値［Ｗ］は、当該充電指令値［Ｗ］と他の種類の指令値［Ｗ］とを足し合わせて得られた統合指令値［Ｗ］が放電側となる充電指令値［Ｗ］を意味する。
【００７５】
第１の種類の指令値に応じて蓄電システム１０１が所定時間Ｔ内に放電した電力量［Ｗｈ］の算出処理は、例えば以下のようになる。
【００７６】
各種充放電量算出部１４は、所定時間Ｔ内の第１の種類の指令値［Ｗ］に含まれる放電指令値［Ｗ］の中の統合指令値［Ｗ］が充電側になる放電指令値［Ｗ］を時間積分して得られた値［Ｗｈ］と充電時補正係数との積（第３の値）を算出する。また、各種充放電量算出部１４は、所定時間Ｔ内の第１の種類の指令値［Ｗ］に含まれる放電指令値［Ｗ］の中の統合指令値［Ｗ］が放電側になる放電指令値［Ｗ］を時間積分して得られた値［Ｗｈ］と放電時補正係数との積（第４の値）を算出する。そして、各種充放電量算出部１４は、第３の値と第４の値との和を、第１の種類の指令値［Ｗ］に応じて蓄電システム１０１が所定時間Ｔ内に放電した電力量［Ｗｈ］として算出する。
【００７７】
統合指令値［Ｗ］が充電側になる放電指令値［Ｗ］は、当該放電指令値［Ｗ］と他の種類の指令値［Ｗ］とを足し合わせて得られた統合指令値［Ｗ］が充電側となる放電指令値［Ｗ］を意味する。統合指令値［Ｗ］が放電側になる放電指令値［Ｗ］は、当該放電指令値［Ｗ］と他の種類の指令値［Ｗ］とを足し合わせて得られた統合指令値［Ｗ］が放電側となる放電指令値［Ｗ］を意味する。
【００７８】
ここで、具体例を用いて、蓄電システム１０１が所定時間Ｔ内に複数種類の指令値［Ｗ］各々に応じて充電又は放電した電力量［Ｗｈ］を算出する処理を説明する。
【００７９】
「前提事項」
当該例では、蓄電システム１０１は、ＧＦ相当制御の指令値［Ｗ］と、エネルギーマネジメントサービスの指令値［Ｗ］とを足し合わせた統合指令値［Ｗ］に応じて充放電を行うものとする。
【００８０】
図４に示すように各変数を定義する。１区間は所定時間Ｔ（例：３０分）よりも小さい値であり、例えば１０秒である。ｔは、各区間の通番である。所定時間Ｔ（例：３０分）は、ｔ＝１乃至ｔ＝ｎの区間を含む。
【００８１】
ＡＳｄｉｓｃｈａｒｇｅ（ｔ）は、区間ｔにおけるＧＦ相当制御の指令値［Ｗ］の中の放電指令値［Ｗ］を時間積分した値である。ＡＳｃｈａｒｇｅ（ｔ）は、区間ｔにおける、ＧＦ相当制御の指令値［Ｗ］の中の充電指令値［Ｗ］を時間積分した値である。
【００８２】
ＵＳＥＲｄｉｓｃｈａｒｇｅ（ｔ）は、区間ｔにおけるエネルギーマネジメントサービスの指令値［Ｗ］の中の放電指令値［Ｗ］を時間積分した値である。ＵＳＥＲｃｈａｒｇｅ（ｔ）は、区間ｔにおけるエネルギーマネジメントサービスの指令値［Ｗ］の中の充電指令値［Ｗ］を時間積分した値である。
【００８３】
ＡＬＬｄｉｓｃｈａｒｇｅ（ｔ）は、区間ｔにおける統合指令値［Ｗ］の中の放電側の統合指令値［Ｗ］を時間積分した値である。ＡＬＬｃｈａｒｇｅ（ｔ）は、区間ｔにおける統合指令値［Ｗ］の中の充電側の統合指令値［Ｗ］を時間積分した値である。
【００８４】
ＳＭ２ｂｗ（０）は、所定時間Ｔの開始時点における第２のスマートメータ１０６の逆潮流の電力積算量［Ｗｈ］である。ＳＭ２ｂｗ（ｎ）は、所定時間Ｔの終了時点（区間ｎの終了時点）における第２のスマートメータ１０６の逆潮流の電力積算量［Ｗｈ］である。第２のスマートメータ１０６の逆潮流の電力積算量［Ｗｈ］は、蓄電システム１０１の放電電力積算量［Ｗｈ］である。ＳＭ２ｆｗ（０）は、所定時間Ｔの開始時点における第２のスマートメータ１０６の順潮流の電力積算量［Ｗｈ］である。ＳＭ２ｆｗ（ｎ）は、所定時間Ｔの終了時点（区間ｎの終了時点）における第２のスマートメータ１０６の順潮流の電力積算量［Ｗｈ］である。第２のスマートメータ１０６の順潮流の電力積算量［Ｗｈ］は、蓄電システム１０１の充電電力積算量［Ｗｈ］である。
【００８５】
ここで、ＡＳｄｉｓｃｈａｒｇｅ（ｔ）は、統合指令値［Ｗ］が充電側になる放電指令値［Ｗ］の積算値であるＡＳ＋ｄｉｓｃｈａｒｇｅ（ｔ）と、統合指令値［Ｗ］が放電側になる放電指令値［Ｗ］の積算値であるＡＳ−ｄｉｓｃｈａｒｇｅ（ｔ）とに分類される。同様に、ＡＳｃｈａｒｇｅ（ｔ）は、統合指令値［Ｗ］が充電側になる充電指令値［Ｗ］の積算値であるＡＳ＋ｃｈａｒｇｅ（ｔ）と、統合指令値［Ｗ］が放電側になる充電指令値［Ｗ］の積算値であるＡＳ−ｃｈａｒｇｅ（ｔ）とに分類される。
【００８６】
また、ＵＳＥＲｄｉｓｃｈａｒｇｅ（ｔ）は、統合指令値［Ｗ］が充電側になる放電指令値［Ｗ］の積算値であるＵＳＥＲ＋ｄｉｓｃｈａｒｇｅ（ｔ）と、統合指令値［Ｗ］が放電側になる放電指令値［Ｗ］の積算値であるＵＳＥＲ−ｄｉｓｃｈａｒｇｅ（ｔ）とに分類される。同様に、ＵＳＥＲｃｈａｒｇｅ（ｔ）は、統合指令値［Ｗ］が充電側になる充電指令値［Ｗ］の積算値であるＵＳＥＲ＋ｃｈａｒｇｅ（ｔ）と、統合指令値［Ｗ］が放電側になる充電指令値［Ｗ］の積算値であるＵＳＥＲ−ｃｈａｒｇｅ（ｔ）とに分類される。
【００８７】
なお、各種指令値［Ｗ］と統合指令値［Ｗ］の充放電の方向が一致する変数を正の値とし、逆になる変数を負の値とする。例えば、ＡＳ＋ｄｉｓｃｈａｒｇｅ（ｔ）は、統合指令値［Ｗ］が充電側になる放電指令値［Ｗ］の積算値である。この変数は負の値とする。また、ＡＳ−ｄｉｓｃｈａｒｇｅ（ｔ）は、統合指令値［Ｗ］が放電側になる放電指令値［Ｗ］の積算値である。この変数は正の値とする。また、ＡＳ＋ｃｈａｒｇｅ（ｔ）は、統合指令値［Ｗ］が充電側になる充電指令値［Ｗ］の積算値である。この変数は正の値とする。その他の変数も同様である。
【００８８】
分類後の各変数の関係は図５のようにまとめることができる。「逆潮流（放電方向）計量分」の行のグループは、統合指令値［Ｗ］が放電側となる変数の組合せである。このような組み合わせとしては、（ＵＳＥＲ−ｄｉｓｃｈａｒｇｅ（ｔ）、ＡＳ−ｄｉｓｃｈａｒｇｅ（ｔ））、（ＵＳＥＲ−ｄｉｓｃｈａｒｇｅ（ｔ）、ＡＳ−ｃｈａｒｇｅ（ｔ））、（ＵＳＥＲ−ｃｈａｒｇｅ（ｔ）、ＡＳ−ｄｉｓｃｈａｒｇｅ（ｔ））の３組が存在する。なお、統合指令値［Ｗ］が放電側となる（ＵＳＥＲ−ｃｈａｒｇｅ（ｔ）、ＡＳ−ｃｈａｒｇｅ（ｔ））の組合せは存在しないので、「×」で当該組み合わせを消去している。
【００８９】
一方、「順潮流（充電方向）計量分」の行のグループは、統合指令値［Ｗ］が充電側となる変数の組合せである。このような組み合わせとしては、（ＵＳＥＲ＋ｄｉｓｃｈａｒｇｅ（ｔ）、ＡＳ＋ｃｈａｒｇｅ（ｔ））、（ＵＳＥＲ＋ｃｈａｒｇｅ（ｔ）、ＡＳ＋ｄｉｓｃｈａｒｇｅ（ｔ））、（ＵＳＥＲ＋ｃｈａｒｇｅ（ｔ）、ＡＳ＋ｃｈａｒｇｅ（ｔ））の３組が存在する。なお、統合指令値［Ｗ］が充電側となる（ＵＳＥＲ＋ｄｉｓｃｈａｒｇｅ（ｔ）、ＡＳ＋ｄｉｓｃｈａｒｇｅ（ｔ））の組合せは存在しないので、「×」で当該組み合わせを消去している。
【００９０】
上記説明及び図５の関係より、図６に示すような条件式が導かれる。
【００９１】
「放電時補正係数及び充電時補正係数の算出」
ここで、補正係数算出部１３は、図７に示す式（７−１）を用いて、放電時補正係数ｋｄｉｓｃｈａｒｇｅを算出する。また、補正係数算出部１３は、図７に示す式（７−２）を用いて、充電時補正係数ｋｃｈａｒｇｅを算出する。
【００９２】
式（７−１）の左辺は、蓄電システム１０１が所定時間Ｔ内に放電した電力量［Ｗｈ］であって、第２のスマートメータ１０６で測定された値である放電電力量［Ｗｈ］を示す。この値は、スマートメータ測定値取得部１１により取得された第２のスマートメータ１０６の実測値である。
【００９３】
式（７−１）の右辺は、放電時補正係数ｋｄｉｓｃｈａｒｇｅと、放電指令量［Ｗｈ］との積となっている。放電指令量［Ｗｈ］は、所定時間Ｔ内における統合指令値［Ｗ］の中の放電側の統合指令値［Ｗ］を時間積分して得られた値である。放電指令量［Ｗｈ］が得られれば、放電時補正係数ｋｄｉｓｃｈａｒｇｅが算出される。
【００９４】
式（７−２）の左辺は、蓄電システム１０１が所定時間Ｔ内に充電した電力量［Ｗｈ］であって、第２のスマートメータ１０６で測定された値である充電電力量［Ｗｈ］を示す。この値は、スマートメータ測定値取得部１１により取得された第２のスマートメータ１０６の実測値である。
【００９５】
式（７−２）の右辺は、充電時補正係数ｋｃｈａｒｇｅと、充電指令量［Ｗｈ］との積となっている。充電指令量［Ｗｈ］は、所定時間Ｔ内における統合指令値［Ｗ］の中の充電側の統合指令値［Ｗ］を時間積分して得られた値である。充電指令量［Ｗｈ］が得られれば、充電時補正係数ｋｃｈａｒｇｅが算出される。
【００９６】
所定時間Ｔ内における、充電時補正係数ｋｃｈａｒｇｅや放電時補正係数ｋｄｉｓｃｈａｒｇｅを算出する際、所定時間Ｔは、ある程度短いことが望ましい。その理由は、Ｔが長くなると、蓄電システムを取り巻く周辺温度の変化等の影響により、補正係数が変化することが想定されるからである。
【００９７】
ここで、放電指令量［Ｗｈ］及び充電指令量［Ｗｈ］を求める方法を説明する。
【００９８】
「方法１」
方法１では、図６に示す式（６−５）及び式（６−６）を用いて、放電指令量［Ｗｈ］及び充電指令量［Ｗｈ］を求める。
【００９９】
まず、補正係数算出部１３は、複数種類の指令値［Ｗ］各々を充電指令値［Ｗ］及び放電指令値［Ｗ］に分類し、さらにそれらを、統合指令値［Ｗ］が充電側になるもの及び放電側になるものに分類する。そして、補正係数算出部１３は、各指令値［Ｗ］の充電指令値［Ｗ］及び放電指令値［Ｗ］各々毎に、統合指令値［Ｗ］が充電側になるもの及び放電側になるもの各々を時間積分して、ＡＳ＋ｄｉｓｃｈａｒｇｅ（ｔ）、ＡＳ−ｄｉｓｃｈａｒｇｅ（ｔ）、ＡＳ＋ｃｈａｒｇｅ（ｔ）、ＡＳ−ｃｈａｒｇｅ（ｔ）、ＵＳＥＲ＋ｄｉｓｃｈａｒｇｅ（ｔ）、ＵＳＥＲ−ｄｉｓｃｈａｒｇｅ（ｔ）、ＵＳＥＲ＋ｃｈａｒｇｅ（ｔ）、ＵＳＥＲ−ｃｈａｒｇｅ（ｔ）を算出する。
【０１００】
例えば、制御装置１０３は複数種類の指令値［Ｗ］や統合指令値［Ｗ］を蓄積してもよい。そして、補正係数算出部１３は、制御装置１０３に蓄積された複数種類の指令値［Ｗ］や統合指令値［Ｗ］を用いて上記処理を行ってもよい。その他、制御装置１０３は生成した複数種類の指令値［Ｗ］や統合指令値［Ｗ］を任意のタイミングで処理装置１０に送信してもよい。そして、処理装置１０は制御装置１０３から受信した複数種類の指令値［Ｗ］や統合指令値［Ｗ］を蓄積してもよい。補正係数算出部１３は、処理装置１０に蓄積された複数種類の指令値［Ｗ］や統合指令値［Ｗ］を用いて上記処理を行ってもよい。
【０１０１】
その後、補正係数算出部１３は、上記算出した結果と式（６−５）とを用いてｔ＝１からｎ各々のＡＬＬｄｉｓｃｈａｒｇｅ（ｔ）を算出し、それらを足し合わせることで放電指令量［Ｗｈ］を算出する。また、補正係数算出部１３は、上記算出した結果と式（６−６）とを用いてｔ＝１からｎ各々のＡＬＬｃｈａｒｇｅ（ｔ）を算出し、それらを足し合わせることで、充電指令量［Ｗｈ］を算出する。
【０１０２】
「方法２」
方法２では、図８及び図９に示す式をさらに用いて、放電指令量［Ｗｈ］及び充電指令量［Ｗｈ］を求める。
【０１０３】
まず、区間内のエネルギーマネジメントサービスの指令値［Ｗ］を放電側のみに制限した場合、図８の式（８−１）が得られる。図６に示す式（６−１）乃至（６−６）に式（８−１）を代入すると、図８の式（８−２）が得られる。そして、式（８−２）を変形すると、式（８−３）が得られる。式（８−３）は、左辺の変数を求める式となっている。
【０１０４】
式（８−３）の右辺に含まれる複数の変数のうち、スマートメータの測定値や各種指令値に基づき値が得られないのはＵＳＥＲ−ｄｉｓｃｈａｒｇｅ（ｔ）のみである。ＵＳＥＲ−ｄｉｓｃｈａｒｇｅ（ｔ）の値が得られれば、式（８−３）の左辺の変数を求めることができる。
【０１０５】
そこで、方法２では、補正係数算出部１３は、方法１で説明した方法と同様にして、ｔ＝１からｎ各々に対応して、ＵＳＥＲ−ｄｉｓｃｈａｒｇｅ（ｔ）を算出する。すなわち、エネルギーマネジメントサービスの放電指令値［Ｗ］の中の統合指令値［Ｗ］が放電側となる放電指令値［Ｗ］を時間積分することで、ｔ＝１からｎ各々に対応して、ＵＳＥＲ−ｄｉｓｃｈａｒｇｅ（ｔ）を算出する。
【０１０６】
そして、補正係数算出部１３は、ｔ＝１からｎ各々に対応して算出したＵＳＥＲ−ｄｉｓｃｈａｒｇｅ（ｔ）の値と、ｔ＝１からｎ各々に対応する式（８−３）の右辺のその他の変数の値とを用いて、ｔ＝１からｎ各々に対応してＡＳ＋ｄｉｓｃｈａｒｇｅ（ｔ）、ＡＳ−ｄｉｓｃｈａｒｇｅ（ｔ）、ＡＳ＋ｃｈａｒｇｅ（ｔ）、ＡＳ−ｃｈａｒｇｅ（ｔ）を算出する。
【０１０７】
その後、式（６−５）を用いて、ｔ＝１からｎ各々のＡＬＬｄｉｓｃｈａｒｇｅ（ｔ）を算出することができる。また、式（６−６）を用いて、ｔ＝１からｎ各々のＡＬＬｃｈａｒｇｅ（ｔ）を算出することができる。
【０１０８】
同様に、区間内のエネルギーマネジメントサービスの指令値［Ｗ］を充電側のみに制限した場合、図９の式（９−１）が得られる。図６に示す式（６−１）乃至（６−６）に式（９−１）を代入すると、図９の式（９−２）が得られる。そして、式（９−２）を変形すると、式（９−３）が得られる。式（９−３）は、左辺の変数を求める式となっている。
【０１０９】
式（９−３）の右辺に含まれる複数の変数のうち、スマートメータの測定値や各種指令値に基づき値が得られないのはＵＳＥＲ＋ｃｈａｒｇｅ（ｔ）のみである。ＵＳＥＲ＋ｃｈａｒｇｅ（ｔ）の値が得られれば、式（９−３）の左辺の変数を求めることができる。
【０１１０】
そこで、方法２では、補正係数算出部１３は、方法１で説明した方法と同様にして、ｔ＝１からｎ各々に対応して、ＵＳＥＲ＋ｃｈａｒｇｅ（ｔ）を算出する。すなわち、エネルギーマネジメントサービスの充電指令値［Ｗ］の中の統合指令値［Ｗ］が充電側となる充電指令値［Ｗ］を時間積分することで、ｔ＝１からｎ各々に対応して、ＵＳＥＲ＋ｃｈａｒｇｅ（ｔ）を算出する。
【０１１１】
そして、補正係数算出部１３は、ｔ＝１からｎ各々に対応して算出したＵＳＥＲ＋ｃｈａｒｇｅ（ｔ）の値と、ｔ＝１からｎ各々に対応する式（８−３）の右辺のその他の変数の値とを用いて、ｔ＝１からｎ各々に対応してＡＳ＋ｄｉｓｃｈａｒｇｅ（ｔ）、ＡＳ−ｄｉｓｃｈａｒｇｅ（ｔ）、ＡＳ＋ｃｈａｒｇｅ（ｔ）、ＡＳ−ｃｈａｒｇｅ（ｔ）を算出する。
【０１１２】
その後、式（６−５）を用いて、ｔ＝１からｎ各々のＡＬＬｄｉｓｃｈａｒｇｅ（ｔ）を算出することができる。また、式（６−６）を用いて、ｔ＝１からｎ各々のＡＬＬｃｈａｒｇｅ（ｔ）を算出することができる。
【０１１３】
この手法では、例えば、夜間２３：００−０７：００の電気料金が安い時間帯では、需要家向け充電のみ、とすることで、その時間帯内での３０分間隔の区間におけるＡＬＬｄｉｓｃｈａｒｇｅ（ｔ）やＡＬＬｃｈａｒｇｅ（ｔ）の算出は、手法１よりも条件式を少なくすることができるため簡単になる。同様に、昼間０７：００−２３：００の電気料金が高い時間帯では、需要家向け放電のみ、とすることで、その時間帯内での３０分間隔の区間におけるＡＬＬｄｉｓｃｈａｒｇｅ（ｔ）やＡＬＬｃｈａｒｇｅ（ｔ）の算出は、手法１よりもパラメータを少なくすることができるため処理が簡単になる。
【０１１４】
また、需要家向け放電のみの時間帯と、需要家向け充電のみの時間帯を跨いだ時間帯における、放電指令量［Ｗｈ］や充電指令量［Ｗｈ］に対して補正係数を算出する場合は、エネルギーマネジメントサービスの指令値［Ｗ］を放電側のみに制限した区間及び充電側のみに制限した区間各々のＡＬＬｄｉｓｃｈａｒｇｅ（ｔ）及びＡＬＬｃｈａｒｇｅ（ｔ）を算出した後、それらを用いて放電指令量［Ｗｈ］及び充電指令量［Ｗｈ］を算出する。具体的には、エネルギーマネジメントサービスの指令値［Ｗ］を放電側のみに制限した区間のＡＬＬｄｉｓｃｈａｒｇｅ（ｔ）と、充電側のみに制限した区間のＡＬＬｄｉｓｃｈａｒｇｅ（ｔ）とを足し合わせることで、放電指令量［Ｗｈ］を算出する。同様に、エネルギーマネジメントサービスの指令値［Ｗ］を充電側のみに制限した区間のＡＬＬｃｈａｒｇｅ（ｔ）と、放電側のみに制限した区間のＡＬＬｃｈａｒｇｅ（ｔ）とを足し合わせることで、充電指令量［Ｗｈ］を算出する。
【０１１５】
なお、方法２を採用する場合、区間内（単位時間内）のエネルギーマネジメントサービスの指令値［Ｗ］を放電側及び充電側いずれかに制限する必要がある。当該制御は、制御装置１０３が行ってもよい。
【０１１６】
「複数種類の指令値［Ｗ］各々に応じて充電又は放電した電力量［Ｗｈ］の算出」
上述のようにして充電時補正係数、放電時補正係数、各種変数の値が得られると、各種充放電量算出部１４は、図１０に示す式を用いて、複数種類の指令値［Ｗ］各々に応じて各区間に充電又は放電した電力量［Ｗｈ］を算出する。
【０１１７】
図示する周波数制御放電電力量［Ｗｈ］は、ＧＦ相当制御で放電した電力量［Ｗｈ］である。周波数制御充電電力量［Ｗｈ］は、ＧＦ相当制御で充電した電力量［Ｗｈ］である。需要家放電電力量［Ｗｈ］は、エネルギーマネジメントサービスで放電した電力量［Ｗｈ］である。需要家充電電力量［Ｗｈ］は、エネルギーマネジメントサービスで充電した電力量［Ｗｈ］である。
【０１１８】
なお、補正係数（充電時補正係数及び放電時補正係数）を用いた電力量の算出では、スマートメータの計量値を計量法に則り課金可能な正しい値としているため、補正係数の値が１から大きくずれる場合は、補正の信頼性が低下する。よって、電力量を算出する上で利用可能な補正係数の範囲を１±０．１等に限定してもよい。
【０１１９】
「変形例」
ここで、変形例を説明する。上記方法１及び方法２では、処理装置１０が、ＡＳ＋ｄｉｓｃｈａｒｇｅ（ｔ）、ＡＳ−ｄｉｓｃｈａｒｇｅ（ｔ）、ＡＳ＋ｃｈａｒｇｅ（ｔ）、ＡＳ−ｃｈａｒｇｅ（ｔ）、ＵＳＥＲ＋ｄｉｓｃｈａｒｇｅ（ｔ）、ＵＳＥＲ−ｄｉｓｃｈａｒｇｅ（ｔ）、ＵＳＥＲ＋ｃｈａｒｇｅ（ｔ）、ＵＳＥＲ−ｃｈａｒｇｅ（ｔ）を算出することを示した。変形例では、制御装置１０３が上記算出を行ってもよい。そして、処理装置１０は制御装置１０３により算出された値を取得し、当該値に基づき、充電時補正係数、放電時補正係数、複数種類の指令値［Ｗ］各々に応じて充電又は放電した電力量［Ｗｈ］を算出してもよい。
【０１２０】
他の変形例として、図１では、蓄電システム１０１と制御装置１０３とを分けて記載し、これらが物理的及び／又は論理的に分かれて設けられる例を示したが、蓄電システム１０１及び制御装置１０３は物理的及び／又は論理的に一体となっていてもよい。例えば、蓄電システム１０１のＰＣＳが、制御装置１０３の機能を備えてもよい。または、蓄電システム１０１内に、ＰＣＳと物理的及び／又は論理的に分かれて制御装置１０３が設けられてもよい。この場合、ＰＣＳが、ＡＳ＋ｄｉｓｃｈａｒｇｅ（ｔ）、ＡＳ−ｄｉｓｃｈａｒｇｅ（ｔ）、ＡＳ＋ｃｈａｒｇｅ（ｔ）、ＡＳ−ｃｈａｒｇｅ（ｔ）、ＵＳＥＲ＋ｄｉｓｃｈａｒｇｅ（ｔ）、ＵＳＥＲ−ｄｉｓｃｈａｒｇｅ（ｔ）、ＵＳＥＲ＋ｃｈａｒｇｅ（ｔ）、ＵＳＥＲ−ｃｈａｒｇｅ（ｔ）の算出をおこなってもよい。
【０１２１】
図３に戻り、発電量取得部１５は、第３のスマートメータ１０７で測定された値に基づき、所定時間Ｔ内に自家発電装置１０４から出力された電力量［Ｗｈ］を所定時間Ｔ毎に取得する。
【０１２２】
ここで、第３のスマートメータ１０７の測定値に関する変数を定義する。ＳＭ３ｂｗ（０）は、所定時間Ｔの開始時点における第３のスマートメータ１０７の逆潮流の電力積算量［Ｗｈ］である。ＳＭ３ｂｗ（ｎ）は、所定時間Ｔの終了時点（区間ｎの終了時点）における第３のスマートメータ１０７の逆潮流の電力積算量［Ｗｈ］である。ＳＭ３ｆｗ（０）は、所定時間Ｔの開始時点における第３のスマートメータ１０７の順潮流の電力積算量［Ｗｈ］である。ＳＭ３ｆｗ（ｎ）は、所定時間Ｔの終了時点（区間ｎの終了時点）における第３のスマートメータ１０７の順潮流の電力積算量［Ｗｈ］である。
【０１２３】
発電量取得部１５は、図１１に示す式に基づき、所定時間Ｔ内に自家発電装置１０４から出力された電力量［Ｗｈ］として算出する。
【０１２４】
図３に戻り、売電量算出部１６は、所定時間Ｔ内に自家発電装置１０４から出力された電力量［Ｗｈ］と、所定時間Ｔ内に蓄電システム１０１が複数種類の指令値［Ｗ］各々に応じて充電又は放電した電力量［Ｗｈ］とに基づき、所定時間Ｔ内に自家発電装置１０４から出力された電力量［Ｗｈ］の内の売電される電力量［Ｗｈ］を算出する。
【０１２５】
売電量算出部１６は、「所定時間Ｔ内に自家発電装置１０４から出力された電力量［Ｗｈ］」から「所定時間Ｔ内に電力需要家都合で消費された電力量［Ｗｈ］」を引いた電力量［Ｗｈ］を、所定時間Ｔ内における売電される電力量［Ｗｈ］として算出する。
【０１２６】
「所定時間Ｔ内に自家発電装置１０４から出力された電力量［Ｗｈ］」は、発電量取得部１５により取得された上記値である。
【０１２７】
そして、売電量算出部１６は、「所定時間Ｔ内に電力需要家都合で消費された電力量［Ｗｈ］」として、「所定時間Ｔ内における電力需要家の負荷群１０２の電力消費量［Ｗｈ］の内の蓄電システム１０１からの放電でまかなわれなかった電力量［Ｗｈ］」及び「電力需要家都合で蓄電システム１０１に充電された電力量［Ｗｈ］」の合計を算出する。
【０１２８】
蓄電システム１０１は、ＧＦ相当制御の指令値［Ｗ］と、エネルギーマネジメントサービスの指令値［Ｗ］とを足し合わせた統合指令値［Ｗ］に応じて充放電を行う例の場合、売電量算出部１６は、図１２の式に基づき、「所定時間Ｔ内に電力需要家都合で消費された電力量［Ｗｈ］」を算出する。
【０１２９】
ここで、図１２の各変数を説明する。ＳＭ１ｂｗ（０）は、所定時間Ｔの開始時点における第１のスマートメータ１０５の逆潮流の電力積算量［Ｗｈ］である。ＳＭ１ｂｗ（ｎ）は、所定時間Ｔの終了時点（区間ｎの終了時点）における第１のスマートメータ１０５の逆潮流の電力積算量［Ｗｈ］である。ＳＭ１ｆｗ（０）は、所定時間Ｔの開始時点における第１のスマートメータ１０５の順潮流の電力積算量［Ｗｈ］である。ＳＭ１ｆｗ（ｎ）は、所定時間Ｔの終了時点（区間ｎの終了時点）における第１のスマートメータ１０５の順潮流の電力積算量［Ｗｈ］である。
【０１３０】
「周波数制御放電電力量」及び「周波数制御充電電力量」は、各種充放電量算出部１４が図１０の式に基づき算出した値である。
【０１３１】
ここで、図１２の式を導き出す方法を説明する。まず、電力需要家システム１００においては、図１３の式が成り立つ。「需要家充電電力量」及び「需要家放電電力量」は、各種充放電量算出部１４が図１０の式に基づき算出した値である。「負荷群の消費電力量」は、所定時間Ｔ内に負荷群１０２が消費した電力量［Ｗｈ］である。当該値は、例えばセンサ１０８の測定値に基づき得られる。
【０１３２】
ここで、（負荷群の消費電力量）＋（需要家充電電力量）−（需要家放電電力量）を、「所定時間Ｔ内に電力需要家都合で消費された電力量［Ｗｈ］」と定義すると、図１３の式は図１２の式のように変形できる。
【０１３３】
なお、ＧＦ相当制御の指令値に加えてまたは代えて、余剰電力吸収サービスの指令値［Ｗ］、インバランス回避サービスの指令値［Ｗ］、ＬＦＣ制御（アンシラリーサービス）の指令値［Ｗ］等に基づき蓄電システム１０１の充放電を制御する場合も同様に、{（ＳＭ１ｆｗ（ｎ）−ＳＭ１ｆｗ（０））−（ＳＭ１ｂｗ（ｎ）−ＳＭ１ｂｗ（０））＋（ＳＭ３ｂｗ（ｎ）−ＳＭ３ｂｗ（０））}に、所定時間Ｔ内に上記指令値に基づき放電した放電電力量［Ｗｈ］を加え、所定時間Ｔ内に上記指令値に基づき充電した充電電力量［Ｗｈ］を引くことで、「所定時間Ｔ内に電力需要家都合で消費された電力量［Ｗｈ］」を算出することができる。
【０１３４】
以上説明した本実施形態の処理装置１０によれば、発電量取得部１５により取得された、「所定時間Ｔ内に自家発電装置１０４から出力された電力量［Ｗｈ］」から、上記「所定時間Ｔ内に電力需要家都合で消費された電力量［Ｗｈ］」を引くことで、所定時間Ｔ内における売電される電力量［Ｗｈ］を算出することができる。
【０１３５】
また、本実施形態の処理装置１０によれば、スマートメータ（第３のスマートメータ１０７）で測定された値に基づき、所定時間Ｔ内に自家発電装置１０４から出力された電力量［Ｗｈ］を取得することができる。また、本実施形態の処理装置１０によれば、充電時補正係数及び放電時補正係数を利用することで、周波数制御充電電力量、周波数制御放電電力量等の各種電力量として、スマートメータで測定した場合と同等の結果を得ることができる。そして、これらを利用して上記売電される電力量［Ｗｈ］を算出することで、スマートメータで測定した場合と同等の結果を得ることができる。
【０１３６】
＜第２の実施形態＞
図１４に、本実施形態の電力需要家システム１００の機能ブロック図を示す。図１に示す第１の実施形態の電力需要家システム１００と比べると、第３のスマートメータ１０７の設置位置が異なる。電力需要家システム１００のその他の構成は、第１の実施形態の電力需要家システム１００と同様である。
【０１３７】
第３のスマートメータ１０７は、電力系統及び自家発電装置１０４から電力需要家システム１００に供給された電力積算量［Ｗｈ］、及び、電力需要家システム１００から電力系統に供給された電力積算量［Ｗｈ］を測定する。そして、処理装置１０で予め定められた時間（例：３０分）毎の要求に応じて、電力積算量［Ｗｈ］を出力する。図示していないが、具体的には、第３のスマートメータ１０７は処理装置１０（不図示）と通信可能に構成され、予め定められた時間（例：３０分）毎の電力積算量［Ｗｈ］を処理装置１０に送信する。
【０１３８】
次に、本実施形態の処理装置１０のハードウエア構成の一例は、第１の実施形態の処理装置１０と同様である。本実施形態の処理装置１０の機能ブロック図の一例は、第１の実施形態同様、図３で示される。スマートメータ測定値取得部１１、充放電指令量取得部１２、補正係数算出部１３及び各種充放電量算出部１４の構成は、第１の実施形態と同様である。
【０１３９】
発電量取得部１５は、図１５に示す式に基づき、所定時間Ｔ内に自家発電装置１０４から出力された電力量［Ｗｈ］を算出する点で、第１の実施形態と異なる。発電量取得部１５のその他の構成は、第１の実施形態の発電量取得部１５と同様である。
【０１４０】
売電量算出部１６は、図１６に示す式に基づき、所定時間Ｔ内に電力需要家都合で消費された電力量［Ｗｈ］を算出する点で、第１の実施形態と異なる。売電量算出部１６のその他の構成は、第１の実施形態の売電量算出部１６と同様である。
【０１４１】
以上説明した本実施形態によれば、第１の実施形態と同様の作用効果を実現できる。
【０１４２】
以下、参考形態の例を付記する。
１．  複数種類の指令値［Ｗ］を足し合わせた統合指令値［Ｗ］に応じて充放電を行う蓄電システムが所定時間内に充放電した電力量［Ｗｈ］であって、スマートメータで測定された値である充電電力量［Ｗｈ］及び放電電力量［Ｗｈ］を取得するスマートメータ測定値取得手段と、
前記所定時間内における前記統合指令値［Ｗ］の中の充電側の前記統合指令値［Ｗ］を時間積分して得られた充電指令量［Ｗｈ］、及び、前記所定時間内における前記統合指令値［Ｗ］の中の放電側の前記統合指令値［Ｗ］を時間積分して得られた放電指令量［Ｗｈ］を取得する充放電指令量取得手段と、
前記充電電力量［Ｗｈ］を前記充電指令量［Ｗｈ］で割ることで充電時補正係数を算出するとともに、前記放電電力量［Ｗｈ］を前記放電指令量［Ｗｈ］で割ることで放電時補正係数を算出する補正係数算出手段と、
前記充電時補正係数と、前記放電時補正係数と、前記複数種類の指令値［Ｗ］とに基づき、前記所定時間内に前記蓄電システムが前記複数種類の指令値［Ｗ］各々に応じて充電又は放電した電力量［Ｗｈ］を算出する各種充放電量算出手段と、
スマートメータで測定された値に基づき、前記所定時間内に自家発電装置から出力された電力量［Ｗｈ］を取得する発電量取得手段と、
前記所定時間内に前記自家発電装置から出力された電力量［Ｗｈ］と、前記所定時間内に前記蓄電システムが前記複数種類の指令値［Ｗ］各々に応じて充電又は放電した電力量［Ｗｈ］とに基づき、前記所定時間内に前記自家発電装置から出力された電力量［Ｗｈ］の内の売電される電力量［Ｗｈ］を算出する売電量算出手段と、
を有する処理装置。
２．  １に記載の処理装置において、
前記売電量算出手段は、「前記所定時間内に前記自家発電装置から出力された電力量［Ｗｈ］」から「前記所定時間内に電力需要家都合で消費された電力量［Ｗｈ］」を引いた電力量［Ｗｈ］を、前記所定時間内における前記売電される電力量［Ｗｈ］として算出する処理装置。
３．  ２に記載の処理装置において、
前記売電量算出手段は、「前記所定時間内に電力需要家都合で消費された電力量［Ｗｈ］」として、「前記所定時間内における電力需要家の負荷群の電力消費量［Ｗｈ］の内の前記蓄電システムからの放電でまかなわれなかった電力量［Ｗｈ］」及び「電力需要家都合で前記蓄電システムに充電された電力量［Ｗｈ］」の合計を算出する処理装置。
４．  １から３のいずれかに記載の処理装置において、
前記指令値［Ｗ］は、充電指令値［Ｗ］及び放電指令値［Ｗ］を含み、
前記各種充放電量算出手段は、
第１の種類の前記指令値［Ｗ］に含まれる前記充電指令値［Ｗ］の中の前記統合指令値［Ｗ］が充電側になる前記充電指令値［Ｗ］を時間積分して得られた値［Ｗｈ］と前記充電時補正係数との積と、前記第１の種類の前記指令値［Ｗ］に含まれる前記充電指令値［Ｗ］の中の前記統合指令値［Ｗ］が放電側になる前記充電指令値［Ｗ］を時間積分して得られた値［Ｗｈ］と前記放電時補正係数との積との和を、前記第１の種類の前記指令値［Ｗ］に応じて前記蓄電システムが前記所定時間内に充電した電力量［Ｗｈ］として算出する処理装置。
５．  １から４のいずれかに記載の処理装置において、
前記指令値［Ｗ］は、充電指令値［Ｗ］及び放電指令値［Ｗ］を含み、
前記各種充放電量算出手段は、
第１の種類の前記指令値［Ｗ］に含まれる前記放電指令値［Ｗ］の中の前記統合指令値［Ｗ］が充電側になる前記放電指令値［Ｗ］を時間積分して得られた値［Ｗｈ］と前記充電時補正係数との積と、前記第１の種類の前記指令値［Ｗ］に含まれる前記放電指令値［Ｗ］の中の前記統合指令値［Ｗ］が放電側になる前記放電指令値［Ｗ］を時間積分して得られた値［Ｗｈ］と前記放電時補正係数との積との和を、前記第１の種類の前記指令値［Ｗ］に応じて前記蓄電システムが前記所定時間内に放電した電力量［Ｗｈ］として算出する処理装置。
６．  コンピュータが、
複数種類の指令値［Ｗ］を足し合わせた統合指令値［Ｗ］に応じて充放電を行う蓄電システムが所定時間内に充放電した電力量［Ｗｈ］であって、スマートメータで測定された値である充電電力量［Ｗｈ］及び放電電力量［Ｗｈ］を取得するスマートメータ測定値取得工程と、
前記所定時間内における前記統合指令値［Ｗ］の中の充電側の前記統合指令値［Ｗ］を時間積分して得られた充電指令量［Ｗｈ］、及び、前記所定時間内における前記統合指令値［Ｗ］の中の放電側の前記統合指令値［Ｗ］を時間積分して得られた放電指令量［Ｗｈ］を取得する充放電指令量取得工程と、
前記充電電力量［Ｗｈ］を前記充電指令量［Ｗｈ］で割ることで充電時補正係数を算出するとともに、前記放電電力量［Ｗｈ］を前記放電指令量［Ｗｈ］で割ることで放電時補正係数を算出する補正係数算出工程と、
前記充電時補正係数と、前記放電時補正係数と、前記複数種類の指令値［Ｗ］とに基づき、前記所定時間内に前記蓄電システムが前記複数種類の指令値［Ｗ］各々に応じて充電又は放電した電力量［Ｗｈ］を算出する各種充放電量算出工程と、
スマートメータで測定された値に基づき、前記所定時間内に自家発電装置から出力された電力量［Ｗｈ］を取得する発電量取得工程と、
前記所定時間内に前記自家発電装置から出力された電力量［Ｗｈ］と、前記所定時間内に前記蓄電システムが前記複数種類の指令値［Ｗ］各々に応じて充電又は放電した電力量［Ｗｈ］とに基づき、前記所定時間内に前記自家発電装置から出力された電力量［Ｗｈ］の内の売電される電力量［Ｗｈ］を算出する売電量算出工程と、
を実行する処理方法。
７．  コンピュータを、
複数種類の指令値［Ｗ］を足し合わせた統合指令値［Ｗ］に応じて充放電を行う蓄電システムが所定時間内に充放電した電力量［Ｗｈ］であって、スマートメータで測定された値である充電電力量［Ｗｈ］及び放電電力量［Ｗｈ］を取得するスマートメータ測定値取得手段、
前記所定時間内における前記統合指令値［Ｗ］の中の充電側の前記統合指令値［Ｗ］を時間積分して得られた充電指令量［Ｗｈ］、及び、前記所定時間内における前記統合指令値［Ｗ］の中の放電側の前記統合指令値［Ｗ］を時間積分して得られた放電指令量［Ｗｈ］を取得する充放電指令量取得手段、
前記充電電力量［Ｗｈ］を前記充電指令量［Ｗｈ］で割ることで充電時補正係数を算出するとともに、前記放電電力量［Ｗｈ］を前記放電指令量［Ｗｈ］で割ることで放電時補正係数を算出する補正係数算出手段、
前記充電時補正係数と、前記放電時補正係数と、前記複数種類の指令値［Ｗ］とに基づき、前記所定時間内に前記蓄電システムが前記複数種類の指令値［Ｗ］各々に応じて充電又は放電した電力量［Ｗｈ］を算出する各種充放電量算出手段、
スマートメータで測定された値に基づき、前記所定時間内に自家発電装置から出力された電力量［Ｗｈ］を取得する発電量取得手段、
前記所定時間内に前記自家発電装置から出力された電力量［Ｗｈ］と、前記所定時間内に前記蓄電システムが前記複数種類の指令値［Ｗ］各々に応じて充電又は放電した電力量［Ｗｈ］とに基づき、前記所定時間内に前記自家発電装置から出力された電力量［Ｗｈ］の内の売電される電力量［Ｗｈ］を算出する売電量算出手段、
として機能させるプログラム。
【符号の説明】
【０１４３】
１Ａ    プロセッサ
２Ａ    メモリ
３Ａ    入出力Ｉ／Ｆ
４Ａ    周辺回路
５Ａ    バス
１０    処理装置
１１    スマートメータ測定値取得部
１２    充放電指令量取得部
１３    補正係数算出部
１４    各種充放電量算出部
１５    発電量取得部
１６    売電量算出部
１００  電力需要家システム
１０１  蓄電システム
１０２  負荷群
１０３  制御装置
１０４  自家発電装置
１０５  第１のスマートメータ
１０６  第２のスマートメータ
１０７  第３のスマートメータ
１０８  センサ
２００  サーバ
３００  通信ネットワーク
【図１】
2019050667.tif 000003
【図２】
2019050667.tif 000004
【図３】
2019050667.tif 000005
【図４】
2019050667.tif 000006
【図５】
2019050667.tif 000007
【図６】
2019050667.tif 000008
【図７】
2019050667.tif 000009
【図８】
2019050667.tif 000010
【図９】
2019050667.tif 000011
【図１０】
2019050667.tif 000012
【図１１】
2019050667.tif 000013
【図１２】
2019050667.tif 000014
【図１３】
2019050667.tif 000015
【図１４】
2019050667.tif 000016
【図１５】
2019050667.tif 000017
【図１６】
2019050667.tif 000018